(57)【要約】【課題】合成繊維を使用し、吸汗性および速乾性に優れた簡便な構造の積層生地、および、当該積層生地を有して構成された機能性衣類を提供する。【解決手段】吸水性加工を施した第一合成繊維素材１１を有する表地１０と、非吸水性の第二合成繊維素材２１を有する裏地２０と、を備え、裏地２０をメッシュ地とした二層構造の積層生地Ｘ、および、積層生地Ｘを有して構成された機能性衣類Ｙ。【選択図】図１
2019218654.tif 000002
【特許請求の範囲】
【請求項１】
吸水性加工を施した第一合成繊維素材を有する表地と、
非吸水性の第二合成繊維素材を有する裏地と、を備え、前記裏地をメッシュ地とした二層構造の積層生地。
【請求項２】
前記第一合成繊維素材および前記第二合成繊維素材は疎水性の合成繊維素材である請求項１に記載の積層生地。
【請求項３】
前記第一合成繊維素材がポリエステルであり、前記第二合成繊維素材がポリプロピレンである請求項２に記載の積層生地。
【請求項４】
請求項１〜３の何れか一項に記載の積層生地を有して構成された機能性衣類。
【発明の詳細な説明】
【技術分野】
【０００１】
本発明は、合成繊維を使用した積層生地、および、当該積層生地を有して構成された機能性衣類に関する。
【背景技術】
【０００２】
従来、スポーツウェアやインナーウェアなど身体に密着する衣類は、ポリエステルなどの合成繊維や、木綿などの天然繊維、または合成繊維と天然繊維との交編地が用いられている。天然繊維は吸湿性、吸水性および保水性に優れているため吸汗性に優れているが、吸い取った汗は容易に蒸散せず、肌に密着してベトツキ感が生じていた。即ち、前記衣類が汗で濡れたまま運動を継続すると、保水した衣類が肌にべとついて筋肉の動きを阻害することがあり、また、運動後に衣類が汗で濡れたまま肌に接触していれば、汗冷えを感じることとなり、不快感を抱くことがあった。
【０００３】
また、合成繊維の場合は、吸湿性がないため蒸れ感を生じると共に、疎水性であるために汗と接触した時の吸水速度が遅く、天然繊維に比べて吸汗性に劣るため汗の吸水移動が行われ難く、汗が肌についたままになり、この場合もベトツキ感が生じていた。
【０００４】
このように、ポリエステル繊維は、その優れた汎用性により、多方面にわたり用いられているが、疎水性であることにより発汗した汗を吸湿・放湿できないために、吸水加工を施したポリエステル繊維を使用すること行われている。
【０００５】
特許文献１には、合成繊維としてポリエステルを使用した多層構造編地として、表面層および中間層を、吸水加工を施したポリエステル繊維で構成し、裏面層を、撥水加工を施した綿／ポリエステル混紡の疎水性繊維および吸水加工を施した綿／ポリエステル混紡の親水性繊維で構成した構造について記載してある。
【０００６】
また、ポリエステル以外の合成繊維を使用した多層構造編地として、特許文献２には、合成繊維としてポリプロピレンを使用した多層構造編地が記載してある。特許文献２には、三層構造編地で外層ほど公定水分率が低くなる繊維糸で構成された軽量保温衣類が記載してあり、多層構造編地における内層にてポリプロピレン繊維を使用している。
【先行技術文献】
【特許文献】
【０００７】
【特許文献１】特開平４−４１７５０号公報
【特許文献２】特開２００９−２０９４５９号公報
【発明の概要】
【発明が解決しようとする課題】
【０００８】
特許文献１，２に記載の多層構造編地は、汗を吸収しても肌面側（裏面層）には残留する汗の量を少なくできるため、発汗してもべとつきを感じ難い構造となっていた。しかし、特許文献１，２に記載の多層構造編地は何れも三層構造となっており複雑な構造となっていたため、簡便な構造とすることが望まれていた。
【０００９】
従って、本発明の目的は、合成繊維を使用し、吸汗性および速乾性に優れた簡便な構造の積層生地、および、当該積層生地を有して構成された機能性衣類を提供することにある。
【課題を解決するための手段】
【００１０】
上記目的を達成するための本発明に係る積層生地の第一特徴構成は、吸水性加工を施した第一合成繊維素材を有する表地と、非吸水性の第二合成繊維素材を有する裏地と、を備え、前記裏地をメッシュ地とした二層構造とした点にある。
【００１１】
本構成の積層生地は、表地および裏地の二層構造としたため、簡便な構造とすることができる。
【００１２】
本発明の積層生地によれば、肌面に触れる裏地に非吸水性の第二合成繊維素材を使用しているため、汗等の水分は裏地に留まらず、吸水性加工を施した第一合成繊維素材を使用した表地の側に毛細管現象により素早く移動させることができる。表地の側に移動した汗等の水分は吸水性を有する表地に留まり、非吸水性の裏地に戻り難くなっている。
【００１３】
これにより、裏地と直接接触する肌面をドライで快適な状態とすることができる。また、表地の側に移動した汗等の水分は、裏地の側に戻り難いため、外側に向けて素早く蒸発する。このように本発明の積層生地は、吸汗性および速乾性に優れた積層生地とすることができる。
【００１４】
本発明に係る積層生地の第二特徴構成は、前記第一合成繊維素材および前記第二合成繊維素材を疎水性の合成繊維素材とした点にある。
【００１５】
本構成によれば、汎用性が高く、入手の容易な疎水性の合成繊維素材を第一合成繊維素材および第二合成繊維素材に適用することで、積層生地を容易に作製することができる。
【００１６】
本発明に係る積層生地の第三特徴構成は、前記第一合成繊維素材をポリエステルとし、前記第二合成繊維素材をポリプロピレンとした点にある。
【００１７】
本構成によれば、汎用性が高く、入手の容易なポリエステルを第一合成繊維素材に適用し、かつ、汎用性が高く、入手の容易なポリプロピレンを第二合成繊維素材に適用することで、積層生地を容易に作製することができる。
【００１８】
本発明に係る機能性衣類の特徴構成は、第一特徴構成〜第三特徴構成の何れか一項に記載の積層生地を有して構成された点にある。
【００１９】
本構成によれば、上記の積層生地を有して構成してあるため、吸汗性および速乾性に優れた機能性衣類とすることができる。また、積層生地の裏地をメッシュ地とすることで、機能性衣類は優れた通気性を有する。
【図面の簡単な説明】
【００２０】
【図１】本発明の積層生地および機能性衣類を示す概略図である。
【図２】積層生地の概略図である。
【発明を実施するための形態】
【００２１】
以下、本発明の実施形態を図面に基づいて説明する。
図１〜２に示したように、本発明の積層生地Ｘは、吸水性加工を施した第一合成繊維素材１１を有する表地１０と、非吸水性の第二合成繊維素材２１を有する裏地２０と、を備え、裏地２０をメッシュ地とした二層構造としてある。
【００２２】
積層生地Ｘは表地１０および裏地２０の二層構造となっており、表地１０は、積層生地Ｘを衣類とした場合の外側（肌面Ｓに触れない側）の生地であり、裏地２０は内側（肌面Ｓに触れる側）の生地である。
【００２３】
表地１０を構成する繊維素材は、吸水性加工を施した第一合成繊維素材１１としてある。第一合成繊維素材１１は疎水性の合成繊維素材とするのがよく、例えばポリエステル、ポリプロピレン、ポリエチレン、ポリアミド（例えばナイロン）等とするのがよい。本実施形態ではポリエステルを使用した場合について説明する。
【００２４】
第一合成繊維素材１１は、ポリエステル等の疎水性の合成繊維素材に対して吸水性加工を施してある。当該吸水性加工は、例えば疎水性の合成繊維素材を親水化剤（例えば界面活性剤）により親水化する処理であるが、吸水性加工はこれに限らず、公知の加工方法を適用することができる。
【００２５】
裏地２０をメッシュ地とするのに対して、表地１０は通常の布地の態様とすればよい。
【００２６】
裏地２０を構成する繊維素材は、非吸水性の第二合成繊維素材２１としてある。本明細書における「非吸水性」とは、吸水性が無いか、吸水性が殆ど無い性質のことをいうものとする。第二合成繊維素材２１は疎水性の合成繊維素材とするのがよく、例えばポリプロピレン、ポリエチレン、ポリエステル、ポリアミド（例えばナイロン）等とするのがよい。本実施形態ではポリプロピレンを使用した場合について説明する。
【００２７】
裏地２０は網目の編地であるメッシュ地としてあり、裏地２０のメッシュ地のメッシュサイズ（網目のサイズ）は適宜設定すればよく、例えば粗目に編成したメッシュ地や、細目に編成したメッシュ地とすることができるがこれらに限定されるものではない。裏地２０をメッシュ地とすることで、積層生地Ｘは優れた通気性を有する。
【００２８】
本発明の積層生地Ｘは、表地１０および裏地２０を同時に編み上げて一体の生地としてある。即ち、表地１０および裏地２０の間に連結糸（図外）を往来させるように編成することによって一体の生地とする。当該連結糸はモノフィラメントや、多数本のフィラメント集合糸などを使用することができる。このように本発明の積層生地Ｘは、表地１０および裏地２０の二層構造とした簡便な構造の積層生地とすることができる。
【００２９】
本発明の積層生地Ｘによれば、肌面Ｓに触れる裏地２０に非吸水性の第二合成繊維素材２１を使用しているため、汗等の水分は裏地２０に留まらず、吸水性加工を施した第一合成繊維素材１１を使用した表地１０の側に毛細管現象により素早く移動させることができる。表地１０の側に移動した汗等の水分は吸水性を有する表地１０に留まり、非吸水性の裏地２０に戻り難くなっている。
【００３０】
これにより、裏地２０と直接接触する肌面Ｓをドライで快適な状態とすることができる。また、表地１０の側に移動した汗等の水分は、裏地２０の側に戻り難いため、外側に向けて素早く蒸発する。このように本発明の積層生地Ｘは、吸汗性および速乾性に優れた積層生地とすることができる。
【００３１】
本発明の機能性衣類Ｙは、積層生地Ｘを有して構成してある。機能性衣類Ｙはその全体を積層生地Ｘで構成することができるが、このような態様に限定されるものではなく、その一部を積層生地Ｘで構成する態様でもよい。機能性衣類Ｙは、スポーツウェア、インナーウェア、アウターウェア、靴下等とすることができる。
【００３２】
本発明の機能性衣類Ｙによれば、上記の積層生地Ｘを有して構成してあるため、吸汗性および速乾性に優れた機能性衣類とすることができる。また、積層生地Ｘの裏地２０をメッシュ地とすることで、機能性衣類Ｙは優れた通気性を有する。また、本発明の機能性衣類Ｙを一枚だけ着用したとしても、積層生地Ｘを二層構造としてあることで肌面Ｓが透け難いため、重ね着しなくてもよい。
【産業上の利用可能性】
【００３３】
本発明は、合成繊維を使用した積層生地、および、当該積層生地を有して構成された機能性衣類に利用できる。
【符号の説明】
【００３４】
Ｘ        積層生地
Ｙ        機能性衣類
１０      表地
１１      第一合成繊維素材
２０      裏地
２１      第二合成繊維素材
【図１】
2019218654.tif 000003
【図２】
2019218654.tif 000004